(57)【要約】【課題】テスト画像を用いて投写状態の調整を行う際にユーザに与える不快感を低減することが可能なプロジェクタを提供する。【解決手段】  プロジェクタ１は、起動時、及び投写状態調整キーが操作された場合以外にも、入力画像の様態が切り替わるタイミングで投写状態を調整するようになっている。具体的には、ユーザにより入力操作部２２の入力切替キー又はミュートキーが操作された場合と、画像情報検知部２７が画像情報の入力又はその途絶を検知した場合と、画像情報検知部２７が画像情報の表示モードの切り替わりを検知した場合に投写状態の調整を実施する。【選択図】図１
2010152267.tif 000002
【特許請求の範囲】
【請求項１】
画像情報に基づく画像を投写する画像投写部と、
前記画像投写部から投写される前記画像を撮像可能に備えられた撮像部と、
所定の事象に基づいて前記画像の様態を切り替える画像切替部と、
前記画像切替部が前記画像の様態を切り替えるタイミングに合わせて前記画像投写部か
ら所定のテスト画像を投写させるとともに、投写された前記テスト画像を前記撮像部に撮
像させ、その撮像結果に基づいて前記画像の投写状態を調整する投写状態調整部と、
を備えたことを特徴とするプロジェクタ。
【請求項２】
請求項１に記載のプロジェクタであって、
前記画像情報が入力される複数の画像情報入力部と、
入力操作を受け付ける入力操作部と、
をさらに備え、
前記画像切替部は、前記入力操作部が受け付けた前記入力操作に基づいて、前記複数の
画像情報入力部の中から１つを選択することにより、前記画像投写部から投写される画像
を切り替え、
前記投写状態調整部は、前記画像切替部が前記画像情報入力部を選択するタイミングに
合わせて前記投写状態の調整を実施することを特徴とするプロジェクタ。
【請求項３】
請求項１に記載のプロジェクタであって、
入力操作を受け付ける入力操作部をさらに備え、
前記画像切替部は、前記入力操作部が受け付けた前記入力操作に基づいて、前記画像投
写部から前記画像の投写を行う通常投写状態と、前記画像の投写を一時的に停止させる画
像ミュート状態とを切り替え、
前記投写状態調整部は、前記画像切替部が前記通常投写状態と前記画像ミュート状態と
を切り替えるタイミングに合わせて前記投写状態の調整を実施することを特徴とするプロ
ジェクタ。
【請求項４】
請求項１に記載のプロジェクタであって、
前記画像情報が入力される画像情報入力部をさらに備え、
前記画像切替部は、前記画像情報入力部に入力される前記画像情報の変化に基づいて前
記画像の様態を切り替え、
前記投写状態調整部は、前記画像切替部が前記画像の様態を切り替えるタイミングに合
わせて前記投写状態の調整を実施することを特徴とするプロジェクタ。
【発明の詳細な説明】
【技術分野】
【０００１】
本発明は、画像を投写するプロジェクタに関する。
【背景技術】
【０００２】
近年、画像を投写するプロジェクタにおいて、プロジェクタの設置状況等を検出して、
フォーカス調整や台形歪補正等の投写状態の調整を自動的に行う機能（自動調整機能）を
備えたプロジェクタが提案されている。投写状態を自動調整する際の態様としては、投写
面（スクリーン）までの距離を測定する測距センサや、プロジェクタの上下方向の傾きを
検出する重力センサ等を搭載して、これらのセンサの検出結果に応じた調整を行う態様の
ほか、所定のテスト画像（検出用パターン）を投写するとともに、投写されたテスト画像
を撮像手段で撮像して、その撮像結果に応じた調整を行う態様（例えば、特許文献１，２
参照）等がある。
【０００３】
特許文献２に記載のプロジェクタのように、テスト画像を用いて投写状態の調整を行う
態様では、上下方向だけでなく左右方向の傾きに起因する台形歪の補正も可能になるうえ
、画像を投写すべき範囲（スクリーン枠）を検出して、この範囲内に画像を投写するため
のズーム調整をも自動で行うことが可能となり、ユーザの利便性が向上する。ただし、こ
の態様では、調整を行う際にテスト画像が投写されることになるため、ユーザが画像を鑑
賞している最中に自動的に調整がなされてしまうと、ユーザに不快感を与えてしまう。こ
のため、テスト画像を用いて投写状態の調整を行う態様では、プロジェクタの起動時（電
源オンの直後）やユーザからの明確な指示（操作）がなされた場合にのみ投写状態の自動
調整を実施するようになっている。
【０００４】
【特許文献１】特開２０００−２４１８７４号公報
【特許文献２】特開２００６−６０４４７号公報
【発明の開示】
【発明が解決しようとする課題】
【０００５】
しかしながら、プロジェクタのユーザの中には、自動調整機能を利用するための操作方
法を知らないユーザや、プロジェクタに自動調整機能が備わっていることすら知らないユ
ーザが存在する。このようなユーザは、プロジェクタの起動後にその設置状況を変更して
しまうと、投写状態を手動で調整したり、或いは適切に調整できないままで画像を鑑賞し
たりすることとなり、自動調整機能が有効に利用されない事態が生じてしまう。
【課題を解決するための手段】
【０００６】
本発明は、上述の課題の少なくとも一部を解決するためになされたものであり、以下の
形態又は適用例として実現することが可能である。
【０００７】
［適用例１］本適用例に係るプロジェクタは、画像情報に基づく画像を投写する画像投
写部と、前記画像投写部から投写される前記画像を撮像可能に備えられた撮像部と、所定
の事象に基づいて前記画像の様態を切り替える画像切替部と、前記画像切替部が前記画像
の様態を切り替えるタイミングに合わせて前記画像投写部から所定のテスト画像を投写さ
せるとともに、投写された前記テスト画像を前記撮像部に撮像させ、その撮像結果に基づ
いて前記画像の投写状態を調整する投写状態調整部と、を備えたことを特徴とする。
【０００８】
このプロジェクタによれば、投写状態調整部は、画像の様態が切り替わるタイミングに
合わせて投写状態を調整するため、投写状態を調整するためだけの入力操作を行うことな
く、投写状態を適切に調整することが可能となる。また、投写状態を調整するためのテス
ト画像の投写が、画像の様態が切り替わるタイミングで行われることから、テスト画像が
投写されることによるユーザの不快感を低減することが可能となる。
【０００９】
［適用例２］上記適用例に係るプロジェクタにおいて、前記画像情報が入力される複数
の画像情報入力部と、入力操作を受け付ける入力操作部と、をさらに備え、前記画像切替
部は、前記入力操作部が受け付けた前記入力操作に基づいて、前記複数の画像情報入力部
の中から１つを選択することにより、前記画像投写部から投写される画像を切り替え、前
記投写状態調整部は、前記画像切替部が前記画像情報入力部を選択するタイミングに合わ
せて前記投写状態の調整を実施するようにしてもよい。
【００１０】
［適用例３］上記適用例に係るプロジェクタにおいて、入力操作を受け付ける入力操作
部をさらに備え、前記画像切替部は、前記入力操作部が受け付けた前記入力操作に基づい
て、前記画像投写部から前記画像の投写を行う通常投写状態と、前記画像の投写を一時的
に停止させる画像ミュート状態とを切り替え、前記投写状態調整部は、前記画像切替部が
前記通常投写状態と前記画像ミュート状態とを切り替えるタイミングに合わせて前記投写
状態の調整を実施するようにしてもよい。
【００１１】
［適用例４］上記適用例に係るプロジェクタにおいて、前記画像情報が入力される画像
情報入力部をさらに備え、前記画像切替部は、前記画像情報入力部に入力される前記画像
情報の変化に基づいて前記画像の様態を切り替え、前記投写状態調整部は、前記画像切替
部が前記画像の様態を切り替えるタイミングに合わせて前記投写状態の調整を実施するよ
うにしてもよい。
【発明を実施するための最良の形態】
【００１２】
以下、本実施形態に係るプロジェクタについて、図面を参照して説明する。
プロジェクタは、光源から射出された光を変調して、外部から入力される画像情報に基
づく画像（以降、「入力画像」という。）を形成し、この画像をスクリーンやホワイトボ
ード等の表面（以降、単に「スクリーン」とも呼ぶ。）に投写する光学機器である。本実
施形態のプロジェクタは、画像の投写状態を、プロジェクタの設置状況に応じて適切な状
態に調整する投写状態調整機能を備えており、画像のフォーカス状態及びズーム状態に加
えて、スクリーンに対して斜め方向から画像を投写する場合に生じる台形歪を調整（補正
）可能になっている。
【００１３】
図１は、プロジェクタの概略構成を示すブロック図である。
図１に示すように、プロジェクタ１は、画像投写部１０、制御部２０、記憶部２１、入
力操作部２２、撮像部２３、投写状態調整部２４、入力端子群２５、入力選択部２６、画
像情報検知部２７、画像処理部２８、台形歪補正部２９等を備えている。
【００１４】
画像投写部１０は、光源１１、光変調装置としての３つの液晶ライトバルブ１２（１２
Ｒ，１２Ｇ，１２Ｂ）、投写光学系としての投写レンズ１３、ライトバルブ駆動部１４、
フォーカス駆動部１５、ズーム駆動部１６等で構成されている。画像投写部１０は、表示
部に相当するものであり、光源１１から射出された光を液晶ライトバルブ１２で変調して
画像（画像光）を形成し、この画像を投写レンズ１３から拡大投写して、外部のスクリー
ンＳに表示する。
【００１５】
光源１１は、超高圧水銀ランプやメタルハライドランプ等からなる放電型の光源ランプ
１１ａと、光源ランプ１１ａが放射した光を略一定の方向に反射するリフレクタ１１ｂと
を含んで構成されている。光源１１から射出された光は、図示しないインテグレータ光学
系によって輝度分布が略均一な光に変換され、図示しない色分離光学系によって光の３原
色である赤色（Ｒ）、緑色（Ｇ）、青色（Ｂ）の色光成分に分離された後、それぞれ液晶
ライトバルブ１２Ｒ，１２Ｇ，１２Ｂに入射する。
【００１６】
液晶ライトバルブ１２は、一対の透明基板間に液晶が封入された液晶パネル等によって
構成される。液晶ライトバルブ１２には、マトリクス状に配列された複数の画素１２ｐか
らなる矩形の画素領域１２ａが形成されており、液晶に対して画素１２ｐ毎に駆動電圧を
印加可能になっている。ライトバルブ駆動部１４が、入力される画像情報に応じた駆動電
圧を各画素１２ｐに印加すると、各画素１２ｐは、画像情報に応じた光透過率に設定され
る。このため、光源１１から射出された光は、この液晶ライトバルブ１２の画素領域１２
ａを透過することによって変調され、画像情報に応じた画像が色光毎に形成される。
【００１７】
形成された各色の画像は、図示しない色合成光学系によって画素１２ｐ毎に合成されて
カラー画像となった後、複数のレンズ群で構成される投写レンズ１３によってスクリーン
Ｓに拡大投写される。
【００１８】
この投写レンズ１３は、フォーカス駆動部１５によって駆動されるフォーカス機構（図
示せず）、及びズーム駆動部１６によって駆動されるズーム機構（図示せず）を備えてい
る。そして、フォーカス駆動部１５及びズーム駆動部１６が、投写状態調整部２４の指示
に基づいてフォーカス機構及びズーム機構をそれぞれ駆動することにより、各レンズ群の
光軸方向の位置関係が変化し、フォーカス状態の調整（フォーカス調整）及びズーム状態
の調整（ズーム調整）がなされる。
【００１９】
なお、本明細書では、投写レンズ１３から投写される画像の全体を「投写画像」と呼ぶ
。投写画像は、画素領域１２ａの全域で形成された画像が投写されたものであり、画素領
域１２ａの全域又は一部の領域を黒色（光をほとんど透過しない状態）とした場合でも、
この黒色の領域に対応する部位を含んだ範囲が投写画像となる。また、例えば、スクリー
ンＳに向けて画像を投写する際に、画像の一部がスクリーンＳからはみ出して後方の壁面
等に投写された場合でも、はみ出した部位を含んだ範囲が投写画像となる。そして、この
投写画像は、ズーム調整がなされると、画素領域１２ａ上の所定のズーム基準（本実施形
態では、画素領域１２ａの中心）に対応する位置を基準にして、そのサイズが拡大又は縮
小する。
【００２０】
制御部２０は、ＣＰＵ（Central Processing Unit）や、各種データ等の一時記憶に用
いられるＲＡＭ（Random Access Memory）等（いずれも図示せず）を備え、記憶部２１に
記憶されている制御プログラムに従って動作することによりプロジェクタ１の動作を統括
制御する。つまり、制御部２０は、記憶部２１とともにコンピュータとして機能する。
【００２１】
記憶部２１は、マスクＲＯＭ（Read Only Memory）や、フラッシュメモリ、ＦｅＲＡＭ
（Ferroelectric RAM：強誘電体メモリ）等の不揮発性のメモリにより構成されている。
記憶部２１には、プロジェクタ１の動作を制御するための制御プログラムや、プロジェク
タ１の動作条件等を規定する各種設定データ等が記憶されている。
【００２２】
入力操作部２２は、ユーザからの入力操作を受け付けるものであり、ユーザがプロジェ
クタ１に対して各種指示を行うための複数の操作キーを備えている。入力操作部２２が備
える操作キーとしては、電源のオン・オフを切り替えるための「電源キー」、有効な入力
端子２５ａを切り替えるための「入力切替キー」、画像の投写の一時的な停止と再開とを
切り替えるための「ミュートキー」、投写状態の調整を指示するための「投写状態調整キ
ー」等がある。ユーザが入力操作部２２の各種操作キーを操作すると、入力操作部２２は
、この入力操作を検知し、ユーザの操作内容に応じた操作信号を制御部２０に出力する。
なお、入力操作部２２として、遠隔操作が可能なリモコン（図示せず）を用いた構成とし
てもよい。この場合、リモコンは、ユーザの操作内容に応じた赤外線の操作信号を発信し
、図示しないリモコン信号受信部がこれを受信して制御部２０に伝達する。
【００２３】
撮像部２３は、プロジェクタ１の前方（画像の投写方向）を撮像するものであり、ＣＣ
Ｄ（Charge Coupled Device）センサ、或いはＣＭＯＳ（Complementary Metal Oxide Sem
iconductor）センサ等からなる撮像素子（図示せず）と、撮像素子の前方に配置される撮
像レンズ（図示せず）とを含んで構成されている。撮像部２３は、投写状態調整部２４の
指示に基づいて、前方の少なくとも投写画像を含む範囲を撮像し、その撮像結果（撮像画
像）に応じた画像データ（以降、「撮像データ」という。）を生成する。撮像部２３で生
成された撮像データは、投写状態調整部２４に出力される。
【００２４】
投写状態調整部２４は、制御部２０の指示に基づいて、画像の投写状態（本実施形態で
は、フォーカス状態、ズーム状態、及び台形歪による画像の変形状態）を調整（補正）す
るための処理を行う。具体的には、投写状態調整部２４は、画像処理部２８に指示をして
、投写状態を調整するためのテスト画像（例えば、ストライプ模様の画像や単色無地の画
像等）を画像投写部１０から投写させるとともに、投写されたテスト画像を撮像部２３に
撮像させる。そして、投写状態調整部２４は、その撮像データ（撮像画像）を解析し、投
写された画像が適切な投写状態となるようにフォーカス駆動部１５及びズーム駆動部１６
を制御するとともに、台形歪を補正するための補正情報を導出して台形歪補正部２９に出
力する。
【００２５】
入力端子群２５は、画像情報入力部としての入力端子２５ａを複数備えており、各入力
端子２５ａには、ビデオ再生装置やパーソナルコンピュータ等、外部の画像出力装置から
出力される画像情報が図示しないケーブルを介して入力される。各入力端子２５ａに入力
された画像情報は、入力選択部２６に供給される。
【００２６】
入力選択部２６は、複数の入力端子２５ａのうち、制御部２０の指示に基づく１つの入
力端子２５ａを選択し、この入力端子２５ａに入力される画像情報を画像処理部２８に出
力する。ユーザが、入力操作部２２に備わる入力切替キーを操作して入力端子２５ａの切
り替えを指示すると、制御部２０は、入力選択部２６に新たな入力端子２５ａを選択させ
ることにより、入力端子２５ａの切り替え、即ち画像処理部２８に出力すべき画像情報の
切り替えを行う。
【００２７】
画像情報検知部２７は、入力選択部２６から画像処理部２８に出力される画像情報に基
づいて、入力選択部２６で選択されている入力端子２５ａ（以降、「選択入力端子２５ａ
」とも呼ぶ。）に画像情報が入力されているか否かを検知するとともに、入力された画像
情報の表示モード（解像度や走査方式等）を検知し、その検知結果を制御部２０及び画像
処理部２８に通知する。
【００２８】
画像処理部２８は、入力選択部２６から入力される画像情報（以降、「入力画像情報」
とも呼ぶ。）を、画像情報検知部２７で検知された表示モードに基づいてサンプリングし
、液晶ライトバルブ１２の各画素１２ｐの階調を表す画像情報に変換する。ここで、変換
された画像情報は、Ｒ，Ｇ，Ｂの色光別になっており、各液晶ライトバルブ１２Ｒ，１２
Ｇ，１２Ｂのすべての画素１２ｐに対応する複数の画素値によって構成されている。画素
値とは、対応する画素１２ｐの光透過率を定めるものであり、この画素値によって、各画
素１２ｐから射出する光の強弱（階調）が規定される。また、画像処理部２８は、制御部
２０の指示に基づき、変換した画像情報に対して、明るさ、コントラスト、シャープネス
、色合い等を調整するための画質調整処理や、メニュー画像やメッセージ画像等のＯＳＤ
（オンスクリーンディスプレイ）画像を重畳表示するためのＯＳＤ処理等を行い、処理後
の画像情報を台形歪補正部２９に出力する。
【００２９】
また、画像処理部２８は、投写状態調整部２４の指示に基づいて、上述したテスト画像
に対応する画像情報を出力可能になっている。投写状態調整部２４が画像処理部２８にテ
スト画像の投写を指示すると、画像処理部２８は、入力画像情報の内容に拘わらず、投写
状態調整部２４の指示に応じた画像情報を生成して台形歪補正部２９に出力する。例えば
、テスト画像として、白色無地の画像（全白画像）の投写が指示された場合には、画像処
理部２８は、すべての画素１２ｐの光透過率が最大となるような画像情報を生成して出力
する。
【００３０】
また、画像処理部２８は、制御部２０の指示に基づいて、画像投写部１０から入力画像
が投写される通常投写状態と、入力画像の投写が一時的に停止する画像ミュート状態とを
切り替え可能になっている。通常投写状態でユーザによりミュートキーが操作されると、
制御部２０は、画像処理部２８に対して、画像ミュート状態に移行させる指示を行う。画
像処理部２８は、この指示を受けると、入力画像情報の内容に拘わらず、黒色無地の画像
（全黒画像）に対応する画像情報、即ちすべての画素１２ｐの光透過率が最小となるよう
な画像情報を生成して台形歪補正部２９に出力する。一方、画像ミュート状態でユーザに
よりミュートキーが操作されると、制御部２０は、画像処理部２８に対して、通常投写状
態に復帰させる指示を行う。画像処理部２８は、この指示を受けると、入力画像情報に基
づく画像情報の出力を再開する。なお、制御部２０は、選択入力端子２５ａに画像情報が
入力されていないことを画像情報検知部２７が検知した場合にも、画像処理部２８に全黒
画像の画像情報を出力させる。
【００３１】
台形歪補正部２９は、台形歪を抑制するために、投写状態調整部２４の指示に基づいて
画像情報を補正する。具体的には、台形歪補正部２９は、投写状態調整部２４から入力さ
れる補正情報に基づいて、液晶ライトバルブ１２の画素領域１２ａ内に、台形歪を相殺可
能な形状の画像形成領域を設定する。そして、この画像形成領域内に入力画像が形成され
るように、画像処理部２８から入力される画像情報を補正し、補正後の画像情報をライト
バルブ駆動部１４に出力する。なお、投写状態調整部２４から画像情報を補正する旨の指
示がない場合には、台形歪補正部２９は、画像処理部２８から入力される画像情報を、そ
のままライトバルブ駆動部１４に出力する。この場合、入力画像は、画素領域１２ａの全
域で形成される。
【００３２】
ライトバルブ駆動部１４が、台形歪補正部２９から入力される画像情報に従って液晶ラ
イトバルブ１２を駆動すると、液晶ライトバルブ１２は、画像情報に応じた画像を形成し
、この画像が投写レンズ１３から投写される。
【００３３】
次に、プロジェクタ１の動作について説明する。
プロジェクタ１に商用電源が供給された後、ユーザにより電源キーが操作されると、光
源１１の点灯が開始し、プロジェクタ１は、画像の投写が可能な状態（オン状態）となる
。プロジェクタ１がオン状態となると、制御部２０は、入力画像の投写に先立ち、投写状
態調整部２４に指示をして、投写状態の調整を実行させる。
【００３４】
図２は、投写状態の調整を説明するためのフローチャートである。投写状態調整部２４
は、制御部２０から上記の指示を受けると、図２に示すフローに従って動作する。
図２に示すように、まず、投写状態調整部２４は、画像処理部２８に指示をして、フォ
ーカス調整を行うためのテスト画像ＴＰ１（図３参照）を投写させる（ステップＳ１０１
）。このテスト画像ＴＰ１としては、例えば、上下方向に細長い白色領域と黒色領域とが
左右方向に交互に配列されたストライプ模様の画像を用いることができる。
【００３５】
次いで、投写状態調整部２４は、投写されたテスト画像ＴＰ１に基づいて、フォーカス
状態の調整を実行する（ステップＳ１０２）。具体的には、投写状態調整部２４は、フォ
ーカス駆動部１５の駆動によってフォーカス状態を少しずつ変化させながら、投写されて
いるテスト画像ＴＰ１を撮像部２３に撮像させる。そして、投写状態調整部２４は、フォ
ーカス状態が変化する毎に、撮像画像に含まれる周波数成分を解析し、高周波数成分が最
大となるフォーカス状態、或いは白色領域と黒色領域の輝度差（コントラスト）が最大と
なるフォーカス状態を、適切なフォーカス状態（合焦状態）として検出する。その後、投
写状態調整部２４は、フォーカス駆動部１５にフォーカス機構を駆動させて、検出された
適切なフォーカス状態を再現し、フォーカス状態の調整を終了する。
【００３６】
次いで、投写状態調整部２４は、画像処理部２８に指示をして、ズーム調整及び台形歪
補正を行うためのテスト画像として、全白画像を投写させ（ステップＳ１０３）、その後
、ズーム状態の調整及び台形歪の補正を実行する（ステップＳ１０４）。
【００３７】
図４は、ズーム調整及び台形歪補正の一例を説明するための説明図であり、（ａ）、（
ｄ）、（ｆ）は、スクリーンＳを示す図、（ｂ）は、スクリーンＳを撮像した撮像画像を
示す図、（ｃ）、（ｅ）は、液晶ライトバルブ１２の画素領域１２ａを示す図である。
【００３８】
図４（ａ）に示すように、この例では、プロジェクタ１は、投写レンズ１３の光軸がス
クリーンＳに対して傾くように設置されており、スクリーンＳ及びその周辺には、その傾
斜に応じた台形歪が生じた状態でテスト画像ＴＰ２（投写画像Ａｏ）が投写される。テス
ト画像ＴＰ２を投写させた後、投写状態調整部２４は、投写画像Ａｏを含む範囲を撮像部
２３に撮像させ、図４（ｂ）に示すように、投写画像Ａｏ及びスクリーンＳの縁取り（ス
クリーン枠Ｆ）が含まれる撮像画像Ｐｃを取得する。ここで、撮像部２３に備わる撮像レ
ンズの光軸と投写レンズ１３の光軸は、ともに前後方向に設定されており、両者は略平行
であることから、撮像画像Ｐｃでは、投写画像Ａｏが略矩形で表される一方、スクリーン
枠Ｆは、スクリーンＳに対するプロジェクタ１（投写レンズ１３の光軸）の傾斜に応じて
歪んで表される。ただし、上記２つの光軸は、厳密には平行でないため、投写画像Ａｏも
わずかに台形状に歪んでいる。
【００３９】
次いで、投写状態調整部２４は、撮像部２３から入力された撮像データに基づいて撮像
画像Ｐｃの解析（例えば、輪郭検出等）を行い、撮像画像Ｐｃに含まれる投写画像Ａｏ及
びスクリーン枠Ｆを認識する。そして、認識した投写画像Ａｏ及びスクリーン枠Ｆに基づ
いて、液晶ライトバルブ１２の画素領域１２ａ内に設定すべき画像形成領域１２ｅの位置
、形状及び大きさを、補正情報として導出する。具体的には、図４（ｃ）に示すように、
画素領域１２ａに対する画像形成領域１２ｅの位置、形状及び大きさを、撮像画像Ｐｃ内
（図４（ｂ）参照）の投写画像Ａｏに対するスクリーン枠Ｆの位置、形状及び大きさに一
致させる。そして、投写状態調整部２４は、導出した補正情報を台形歪補正部２９に出力
して台形歪の補正を指示するとともに、画像処理部２８に指示をして、入力画像情報に基
づく画像情報の出力、即ち入力画像Ｐｉの投写を開始させる。なお、画像形成領域１２ｅ
の位置、形状及び大きさを表す補正情報としては、例えば、画素領域１２ａ上に設定した
所定の座標系における画像形成領域１２ｅの四隅の座標値を用いることができる。
【００４０】
台形歪補正部２９は、投写状態調整部２４から上記の指示を受けると、入力される補正
情報に基づく画像形成領域１２ｅを画素領域１２ａ内に設定し、この画像形成領域１２ｅ
に入力画像Ｐｉが形成されるように、画像処理部２８から入力される画像情報を補正する
。さらに、台形歪補正部２９は、画像形成領域１２ｅの外側の画素１２ｐを、黒色の画素
値、つまり、光透過率が最小となる画素値に設定する。この結果、図４（ｄ）に示すよう
に、画像投写部１０から投写される入力画像Ｐｉは、台形歪が相殺され、矩形の画像とな
ってスクリーン枠Ｆ内に表示される。
【００４１】
ここで、画素領域１２ａに対して画像形成領域１２ｅが相当小さい場合には、入力画像
Ｐｉの形成に寄与しない画素１２ｐが多数存在することになり、入力画像Ｐｉの画質が劣
化してしまうことになる。このため、画素領域１２ａに対して画像形成領域１２ｅが相当
小さい場合には、投写状態調整部２４は、図４（ｅ）に示すように、ズーム基準（画素領
域１２ａの中心）を基準にして、画像形成領域１２ｅの全体が画素領域１２ａ内に収まる
範囲内で画像形成領域１２ｅを拡大し、拡大後の画像形成領域１２ｅに応じた補正情報を
台形歪補正部２９に出力する。さらに、投写状態調整部２４は、画像形成領域１２ｅを拡
大させた分だけ投写画像Ａｏを縮小させるべく、ズーム駆動部１６に指示をして、ズーム
機構をテレ側に駆動させる。この結果、図４（ｆ）に示すように、画像投写部１０から投
写される入力画像Ｐｉは、台形歪が相殺されて矩形になるとともに、画質の劣化が抑制さ
れた状態でスクリーン枠Ｆ内に表示される。
【００４２】
以上のように、プロジェクタ１は、その起動時、即ちプロジェクタ１がオン状態となっ
た直後に投写状態の調整を行うため、ユーザは、適切な投写状態で入力画像Ｐｉを鑑賞す
ることが可能となる。また、プロジェクタ１は、ユーザにより投写状態調整キーが操作さ
れた場合にも、上記のフロー（図２参照）を実行して投写状態を調整するようになってい
る。このため、プロジェクタ１の起動後に設置状況を変更した場合であっても、ユーザは
、投写状態調整キーを操作することにより、適切な投写状態で入力画像Ｐｉを鑑賞するこ
とができる。
【００４３】
また、プロジェクタ１は、起動時、及び投写状態調整キーが操作された場合以外にも、
入力画像Ｐｉの様態が切り替わるタイミングで投写状態を調整するようになっており、本
実施形態では、ユーザにより入力切替キー又はミュートキーが操作された場合と、画像情
報検知部２７が画像情報の入力又はその途絶を検知した場合と、画像情報検知部２７が画
像情報の表示モードの変化（切り替わり）を検知した場合に投写状態の調整を実施する。
【００４４】
図５は、入力切替キーが操作された際のプロジェクタ１の動作を示すフローチャートで
ある。
図５に示すように、ユーザにより入力切替キーが操作され、入力操作部２２がこの操作
を検知すると、制御部２０は、投写状態調整部２４に指示をして、投写状態の調整を実施
させる（ステップＳ２０１）。そして、投写状態調整部２４は、この指示に基づき、図２
に示したフローに従って投写状態の調整を開始する。その後、制御部２０は、入力選択部
２６に新たな入力端子２５ａを選択させることにより、入力端子２５ａを切り替えて（ス
テップＳ２０２）、フローを終了する。この結果、投写状態調整部２４が投写状態の調整
を終えた後には、新たな入力端子２５ａからの入力画像Ｐｉが投写される。
【００４５】
図６は、ミュートキーが操作された際のプロジェクタ１の動作を示すフローチャートで
ある。
図６に示すように、ユーザによりミュートキーが操作され、入力操作部２２がこの操作
を検知すると、制御部２０は、投写状態調整部２４に指示をして、投写状態の調整を実施
させる（ステップＳ３０１）。そして、投写状態調整部２４は、この指示に基づき、図２
に示したフローに従って投写状態の調整を開始する。その後、制御部２０は、その時点の
投写状態が画像ミュート状態か通常投写状態かを判断し（ステップＳ３０２）、通常投写
状態である場合には、画像処理部２８に指示をして画像ミュート状態に移行させ（ステッ
プＳ３０３）、フローを終了する。一方、その時点の投写状態が画像ミュート状態である
場合には、制御部２０は、画像処理部２８に指示をして通常投写状態に復帰させて（ステ
ップＳ３０４）、フローを終了する。この結果、投写状態調整部２４が投写状態の調整を
終えた後には、画像ミュート状態と通常投写状態とが切り替わった状態となる。
【００４６】
また、図示は省略するが、選択入力端子２５ａに画像情報が入力されておらず、画像投
写部１０から全黒画像が投写されている状態において、選択入力端子２５ａへの画像情報
の入力が開始されると、画像情報検知部２７は、これを検知して制御部２０及び画像処理
部２８に通知する。そして、制御部２０は、この通知に基づいて、投写状態調整部２４に
投写状態の調整を実施させ、その後、画像処理部２８は、画像情報のサンプリングを開始
する。この結果、投写状態の調整が終了した後には、入力が開始された画像情報に基づく
入力画像Ｐｉが投写される。
【００４７】
同様に、選択入力端子２５ａに画像情報が入力されていて、画像投写部１０からこの画
像情報に基づく入力画像Ｐｉが投写されている状態において、選択入力端子２５ａへの画
像情報の入力が途絶えると、画像情報検知部２７は、これを検知して制御部２０に通知す
る。そして、制御部２０は、この通知に基づいて、投写状態調整部２４に投写状態の調整
を実施させ、その後、画像処理部２８に全黒画像の画像情報を出力させる。この結果、投
写状態の調整が終了した後には、全黒画像が投写される。
【００４８】
さらに、ユーザが外部の画像出力装置を操作すること等により、選択入力端子２５ａに
入力されている画像情報の表示モードが変化した場合（例えば、インターレース方式とプ
ログレッシブ方式とが切り替わった場合、解像度が変化した場合、或いはリフレッシュレ
ートが変化した場合等）にも、画像情報検知部２７は、これを検知して制御部２０及び画
像処理部２８に通知する。そして、制御部２０は、この通知に基づいて、投写状態調整部
２４に投写状態の調整を実施させ、その後、画像処理部２８は、この通知に基づいて、新
たな表示モードに対応したサンプリングを開始する。この結果、投写状態の調整が終了し
た後には、新たな表示モードで入力画像Ｐｉが投写される。
【００４９】
このように、本実施形態のプロジェクタ１は、入力切替キーによって入力画像が切り替
わったり、入力画像と全黒画像とが切り替わったり、表示モードが切り替わったりするタ
イミング、即ち投写される画像の様態が切り替わるタイミングを、ユーザの入力操作、或
いは画像情報の変化によって検知し、そのタイミングに合わせて投写状態の調整を実施す
る。
【００５０】
以上説明したように、本実施形態のプロジェクタ１によれば、投写状態調整部２４は、
画像の様態が切り替わるタイミングに合わせて投写状態を調整するため、投写状態を調整
するための入力操作（投写状態調整キーの操作）を行うことなく、投写状態を適切に調整
することが可能となる。これにより、投写状態を調整するための操作方法を知らないユー
ザや、プロジェクタ１に投写状態調整機能が備わっていることすら知らないユーザであっ
ても、適切な投写状態で画像を鑑賞することが可能となる。また、投写状態を調整するた
めのテスト画像ＴＰ１，ＴＰ２の投写が、画像の様態が切り替わるタイミングで行われる
ことから、テスト画像ＴＰ１，ＴＰ２が投写されることによるユーザの不快感を低減する
ことが可能となる。
【００５１】
なお、本実施形態では、入力切替キーの操作に基づいて入力端子２５ａを切り替える際
の制御部２０及び入力選択部２６と、ミュートキーの操作に基づいて通常投写状態と画像
ミュート状態とを切り替える際の制御部２０及び画像処理部２８と、画像情報の入力の有
無に基づいて入力画像と全黒画像の投写を切り替える際の制御部２０及び画像処理部２８
と、画像情報の表示モードの変化に基づいた処理を行う際の画像処理部２８が、画像切替
部に相当する。
【００５２】
（変形例）
また、上記実施形態は、以下のように変更してもよい。
【００５３】
上記実施形態では、投写状態の調整（補正）として、フォーカス調整と、ズーム調整と
、台形歪補正とを行っているが、これらのすべてを行う態様に限られず、いずれか１つの
調整のみを行う態様であってもよい。また、その調整方法は、テスト画像を投写して調整
する方法であれば、上記実施形態に示した方法に限定されない。さらに、テスト画像を投
写して行う調整であれば、上記以外の投写状態の調整（例えば、色調の調整や光源輝度の
調整等）を行うようにしてもよい。また、投写状態の調整として、テスト画像を投写して
行う調整と、テスト画像を用いずに行う調整とを組み合わせて行うようにしてもよい。
【００５４】
上記実施形態では、ユーザにより入力切替キーが操作されたタイミングと、ミュートキ
ーが操作されたタイミングと、画像情報検知部２７が画像情報の入力又はその途絶を検知
したタイミングと、画像情報検知部２７が画像情報の表示モードの切り替わりを検知した
タイミングで投写状態の調整を実施するようにしているが、上記のすべてのタイミングで
実施する必要はなく、上記のいずれかのタイミングでのみ実施するようにしてもよい。ま
た、投写状態の調整を実施するタイミングは、上記に限定されず、画像の様態が切り替わ
るタイミングであれば、他のタイミングに合わせて実施してもよい。
【００５５】
上記実施形態では、通常投写状態から画像ミュート状態に切り替わるタイミングと、画
像ミュート状態から通常投写状態に切り替わるタイミングの双方で投写状態を調整するよ
うにしているが、いずれか一方のみとしてもよい。この場合、ユーザが画像の鑑賞を開始
しようとするタイミング、即ち画像ミュート状態から通常投写状態に切り替わって入力画
像の投写が再開するタイミングに行うことが望ましい。また、上記実施形態では、選択入
力端子２５ａへの画像情報の入力が開始されたタイミングと、選択入力端子２５ａへの画
像情報の入力が途絶えたタイミングの双方で投写状態を調整するようにしているが、いず
れか一方のみとしてもよい。この場合にも、ユーザが画像の鑑賞を開始しようとするタイ
ミング、即ち選択入力端子２５ａへの画像情報の入力が開始されて入力画像の投写が開始
するタイミングに行うことが望ましい。
【００５６】
上記実施形態では、ストライプ模様のテスト画像ＴＰ１でフォーカス調整を行い、全白
画像からなるテスト画像ＴＰ２でズーム調整及び台形歪補正を行っているが、使用するテ
スト画像は、上記に限られず、様々なテスト画像を用いることが可能である。例えば、特
開２０００−２８９０１号公報には、十字マークを有するテスト画像でフォーカス調整を
行う態様が示されており、特開２００６−６０４４７号公報には、全白画像と、市松模様
の画像と、全黒画像の３種のテスト画像を用いてズーム調整及び台形歪補正を行う態様が
示されている。
【００５７】
上記実施形態において、入力切替キーによって入力端子２５ａを切り替える態様として
は、１つの入力切替キーを繰り返し操作することによって、所望の入力端子２５ａに切り
替える態様であってもよいし、複数の入力端子２５ａにそれぞれ対応する複数の入力切替
キーを入力操作部２２に備えて、操作された入力切替キーに対応する入力端子２５ａに切
り替える態様であってもよい。また、画像情報が入力されている入力端子２５ａのみを選
択（切り替え）可能とする態様であってもよい。
【００５８】
上記実施形態では、光変調装置として３つの液晶ライトバルブ１２Ｒ，１２Ｇ，１２Ｂ
を用いた３板式のプロジェクタ１について説明したが、これに限定されない。例えば、各
画素の中にそれぞれＲ光、Ｇ光、Ｂ光を透過可能なサブ画素を含んだ１つの液晶ライトバ
ルブ１２によって画像を形成する態様とすることも可能である。
【００５９】
上記実施形態では、光変調装置として、透過型の液晶ライトバルブ１２を用いているが
、反射型の液晶ライトバルブ等、反射型の光変調装置を用いることも可能である。また、
入射した光の射出方向を、画素としてのマイクロミラー毎に制御することにより、光源か
ら射出した光を変調する微小ミラーアレイデバイス等を用いることもできる。
【００６０】
上記実施形態では、光源１１は、放電型の光源ランプ１１ａによって構成されているが
、ＬＥＤ（Light Emitting Diode：発光ダイオード）光源等の固体光源や、その他の光源
を用いることもできる。
【図面の簡単な説明】
【００６１】
【図１】プロジェクタの概略構成を示すブロック図。
【図２】投写状態の調整を説明するためのフローチャート。
【図３】フォーカス調整用のテスト画像を示す図。
【図４】ズーム調整及び台形歪補正の一例を説明するための説明図であり、（ａ）、（ｄ）、（ｆ）は、スクリーンを示す図、（ｂ）は、スクリーンを撮像した撮像画像を示す図、（ｃ）、（ｅ）は、液晶ライトバルブの画素領域を示す図。
【図５】入力切替キーが操作された際のプロジェクタの動作を示すフローチャート。
【図６】ミュートキーが操作された際のプロジェクタの動作を示すフローチャート。
【符号の説明】
【００６２】
１…プロジェクタ、１０…画像投写部、１１…光源、１１ａ…光源ランプ、１１ｂ…リ
フレクタ、１２，１２Ｒ，１２Ｇ，１２Ｂ…液晶ライトバルブ、１２ｐ…画素、１２ａ…
画素領域、１２ｅ…画像形成領域、１３…投写レンズ、１４…ライトバルブ駆動部、１５
…フォーカス駆動部、１６…ズーム駆動部、２０…制御部、２１…記憶部、２２…入力操
作部、２３…撮像部、２４…投写状態調整部、２５…入力端子群、２５ａ…入力端子、２
６…入力選択部、２７…画像情報検知部、２８…画像処理部、２９…台形歪補正部、Ａｏ
…投写画像、Ｆ…スクリーン枠、Ｐｃ…撮像画像、Ｐｉ…入力画像、Ｓ…スクリーン、Ｔ
Ｐ１，ＴＰ２…テスト画像。
【図１】
2010152267.tif 000003
【図２】
2010152267.tif 000004
【図３】
2010152267.tif 000005
【図４】
2010152267.tif 000006
【図５】
2010152267.tif 000007
【図６】
2010152267.tif 000008